(57)【要約】【課題】この発明は、連続ドラマなどの毎日あるいは毎週同時刻に放送される連続番組について、サムネイルを設定する際に生じる不具合を低減し、映像記録装置の利便性を向上させることを目的とする。【解決手段】  放送を受信する手段と、受信される放送の中から連続放送番組に関する録画予約が設定される手段と、連続放送番組に関する録画予約を実行し、記録媒体へ連続放送番組に係るコンテンツを記録する手段と、記録媒体に記録されたコンテンツに係るデータの中からユーザに設定された画像データを用いてサムネイルを作成する手段と、作成されたサムネイルをコンテンツに関連付けて保存する手段とを備える。【選択図】  図５
2005340875.tif 000002
【特許請求の範囲】
【請求項１】
映像信号を記録媒体に記録する映像記録装置において、
放送を受信する放送受信手段と、
前記放送受信手段で受信される放送の中から連続放送番組に関する録画予約が設定される録画予約手段と、
前記連続放送番組に関する録画予約を実行し、記録媒体へ連続放送番組に係るコンテンツを記録する録画手段と、
前記記録媒体に記録されたコンテンツに係るデータの中からユーザに設定された画像データを用いてサムネイルを作成するサムネイル作成手段と、
前記作成されたサムネイルを前記コンテンツに関連付けて保存するサムネイル保存手段とを備えることを特徴とする映像記録装置。
【請求項２】
映像信号を記録媒体に記録する映像記録装置において、
放送を受信する放送受信手段と、
前記放送受信手段で受信される放送の中から連続放送番組に関する録画予約が設定される録画予約手段と、
前記連続放送番組に関する録画予約を実行し、記録媒体へ連続放送番組に係る第１のコンテンツおよび第２のコンテンツを記録する録画手段と、
前記記録媒体に記録された第１のコンテンツに係るデータの中からユーザに設定された画像データを用いてサムネイルを作成するサムネイル作成手段と、
前記作成されたサムネイルを前記第１のコンテンツおよび前記第２のコンテンツに関連付けて保存するサムネイル保存手段とを備えることを特徴とする映像記録装置。
【請求項３】
前記サムネイル保存手段に保存されたサムネイルを、関連付けられたコンテンツと共に表示するための表示信号を出力する表示信号出力手段をさらに備えることを特徴とする請求項１乃至２に記載の映像記録装置。
【請求項４】
映像信号を記録媒体に記録する映像記録装置において、
映像信号を記録する記録媒体と、
放送を受信する放送受信手段と、
前記放送受信手段で受信される放送の中から連続放送番組に関する録画予約が設定される録画予約手段と、
前記連続放送番組に関する録画予約を実行し、前記記録媒体へ連続放送番組に係るコンテンツを記録する録画手段と、
前記記録媒体に記録されたコンテンツに係るデータの中からユーザに設定された画像データを用いてサムネイルを作成するサムネイル作成手段と、
前記作成されたサムネイルを前記コンテンツに関連付けて保存するサムネイル保存手段とを備えることを特徴とする映像記録装置。
【請求項５】
映像信号を記録媒体に記録する映像記録方法において、
放送を受信するステップと、
受信される放送の中から連続放送番組に関する録画予約を設定するステップと、
前記連続放送番組に関する録画予約を実行し、記録媒体へ連続放送番組に係るコンテンツを記録するステップと、
前記記録媒体に記録されたコンテンツに係るデータの中からユーザに設定された画像データを用いてサムネイルを作成するステップと、
前記作成されたサムネイルを前記コンテンツに関連付けて保存するステップとを備えることを特徴とする映像記録方法。
【請求項６】
映像信号を記録媒体に記録する映像記録方法において、
放送を受信するステップと、
受信される放送の中から連続放送番組に関する録画予約を設定するステップと、
前記連続放送番組に関する録画予約を実行し、記録媒体へ連続放送番組に係る第１のコンテンツおよび第２のコンテンツを記録するステップと、
前記記録媒体に記録された第１のコンテンツに係るデータの中からユーザに設定された画像データを用いてサムネイルを作成するステップと、
前記作成されたサムネイルを前記第１のコンテンツおよび前記第２のコンテンツに関連付けて保存するステップとを備えることを特徴とする映像記録方法。
【請求項７】
映像信号を記録媒体に記録する映像記録方法において、
放送を受信するステップと、
受信される放送の中から連続放送番組に関する録画予約を設定するステップと、
前記連続放送番組に関する録画予約を実行し、記録媒体へ連続放送番組に係る第１のコンテンツおよび第２のコンテンツを記録するステップと、
前記記録媒体に記録された第１のコンテンツに係るデータの中からユーザに設定された画像データを用いてサムネイルを作成するステップと、
前記作成されたサムネイルを前記第１のコンテンツおよび前記第２のコンテンツに関連付けて保存するステップと、
前記保存されたサムネイルを、前記第１のコンテンツおよび前記第２のコンテンツと共に表示するための表示信号を出力するステップとを備えることを特徴とする映像記録方法。
【発明の詳細な説明】
【技術分野】
【０００１】
この発明は、映像信号を記録媒体に記録する映像記録装置に関する。またこの発明は録画予約された放送（コンテンツ）を記録媒体に記録する映像記録装置に関する。
【背景技術】
【０００２】
現在、ＨＤＤ（ハードディスクドライブ）やＤＶＤ（デジタルビデオディスク）等の記録媒体に映像を記録する映像記録装置が製品化されている。このような映像記録装置は、放送番組（コンテンツ）を受信し、手軽に記録（録画）することができる。
【０００３】
記録媒体に記録されたコンテンツにはサムネイルを付与することが行われている。ここでサムネイルとは、例えばコンテンツに係る画像データを表示用に圧縮した静止画像である。いわゆるＤＶＤのコンテンツ検索やデジタルカメラの撮影画像検索等で用いられている。
【０００４】
また、連続ドラマなどの毎日あるいは毎週同時刻に放送される連続番組については、コンテンツ毎に、既にサムネイル時刻が設定されている他のタイトルと同じサムネイル時刻を設定することが可能である。
【０００５】
特許文献１には、毎回、オープニングタイトル画像がほぼ番組開始時刻から決まった時刻で放送される点に注目して、コンテンツ毎に、既にサムネイル時刻が設定されている他のタイトルと同じサムネイル時刻を設定する技術が開示されている。しかしながら、この特許文献１では、ほぼ番組開始時刻から決まった時刻でオープニングタイトル画像が放送されるものの、コンテンツは毎回異なる内容であり、若干の時間的ずれが生じることがある。そして、このずれが生じたまま表示されるサムネイルには不一致が起こり、見苦しい等の不具合が生じるといった問題があった。
【特許文献１】特開２００３−３２５８１号公報
【発明の開示】
【発明が解決しようとする課題】
【０００６】
そこで、この発明は、上記事情を考慮してなされたもので、連続ドラマなどの毎日あるいは毎週同時刻に放送される連続番組について、サムネイルを設定する際に生じる不具合を低減し、映像記録装置の利便性を向上させることを目的とする。
【課題を解決するための手段】
【０００７】
この発明に係る映像記録装置は、放送を受信する放送受信手段と、前記放送受信手段で受信される放送の中から連続放送番組に関する録画予約が設定される録画予約手段と、前記連続放送番組に関する録画予約を実行し、記録媒体へ連続放送番組に係るコンテンツを記録する録画手段と、前記記録媒体に記録されたコンテンツに係るデータの中からユーザに設定された画像データを用いてサムネイルを作成するサムネイル作成手段と、前記作成されたサムネイルを前記コンテンツに関連付けて保存するサムネイル保存手段とを備えるように構成している。
【０００８】
またこの発明に係る映像記録方法は、放送を受信するステップと、受信される放送の中から連続放送番組に関する録画予約を設定するステップと、前記連続放送番組に関する録画予約を実行し、記録媒体へ連続放送番組に係る第１のコンテンツおよび第２のコンテンツを記録するステップと、前記記録媒体に記録された第１のコンテンツに係るデータの中からユーザに設定された画像データを用いてサムネイルを作成するステップと、前記作成されたサムネイルを前記第１のコンテンツおよび前記第２のコンテンツに関連付けて保存するステップとを備えるように構成している。
【発明の効果】
【０００９】
上記した構成によれば、連続ドラマなどの毎日あるいは毎週同時刻に放送される連続番組について、サムネイルを設定する際に生じるコンテンツ毎のずれによる不一致から生じる不具合を低減し、映像記録装置の利便性を向上させることが可能となる。また、作成されたサムネイルを保存しておくので、コンテンツ毎にサムネイルを作成する必要がなく、サムネイルの表示速度を早めることが可能となる。
【発明を実施するための最良の形態】
【００１０】
以下、図面を参照してこの発明の実施の形態を説明する。
【００１１】
図１はこの発明の実施の形態を示すもので、映像記録装置の構成を示すブロック図である。
【００１２】
この映像記録装置では、記録媒体としてＤＶＤ−ＲＡＭとハードディスクとの双方を取り扱うことができるものとしているが、ハードディスクまたはＤＶＤ−ＲＡＭは、例えば半導体メモリ等の記録媒体に置換されてもよいものである。
【００１３】
図１に示した映像記録装置において、その各ブロックを大きく分けると、左側に記録部の主なブロックが存在し、右側に再生部の主なブロックが存在する。
【００１４】
すなわち、この映像記録装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、第２のメディアとしてのハードディスク１３ａを駆動するＨＤＤ（Hard Disk Drive）部１３を有する。
【００１５】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系などを有する。
【００１６】
Ｄ−ＰＲＯ部１４は、記録または再生単位のデータを取り扱うもので、バッファ回路、変調・復調回路、エラー訂正部等を含んでいる。
【００１７】
また、この映像記録装置は、記録側を構成するエンコーダ部１５と、再生側を構成するデコーダ部１６と、装置本体の動作を制御するマイクロコンピュータブロック１７とを主たる構成要素としている。
【００１８】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１９】
エンコーダ部１５の出力は、バッファメモリ１８を含むフォーマッタ１９にて所定のＤＶＤ−ＲＡＭのフォーマットに変換され、先のＤ−ＰＲＯ部１４に供給される。
【００２０】
エンコーダ部１５には、Ａ／Ｖ（Audio／Video）入力部２０からの外部アナログビデオ信号と外部アナログオーディオ信号、または、ＴＶ（Television）チューナー部２１からのアナログビデオ信号とアナログオーディオ信号とが入力される。
【００２１】
なお、エンコーダ部１５は、圧縮されたデジタルビデオ信号やデジタルオーディオ信号が直接入力されるときは、圧縮デジタルビデオ信号やデジタルオーディオ信号を直接フォーマッタ１９に供給することもできる。
【００２２】
また、エンコーダ部１５は、アナログデジタル変換されたデジタルビデオ信号やオーディオ信号を、Ｖ（Video）ミキシング部２２やオーディオセレクタ２３に直接供給することもできる。
【００２３】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。
【００２４】
デジタルオーディオ信号は、ＭＰＥＧまたはＡＣ（Audio Compression）−３規格に基づいて固定ビットレートで圧縮されたデジタルオーディオ信号、または、リニアＰＣＭ（Pulse Code Modulation）のデジタルオーディオ信号に変換される。
【００２５】
副映像信号がＡ／Ｖ入力部２０から入力された場合（例えば副映像信号の独立出力端子付DVDビデオプレーヤからの信号等）、または、このようなデータ構成のＤＶＤビデオ信号が放送されて、それがＴＶチューナー部２１で受信された場合は、ＤＶＤビデオ信号中の副映像信号が副映像エンコーダでエンコード（ランレングス符号化）されて副映像のビットマップとなる。
【００２６】
エンコードされたデジタルビデオ信号、デジタルオーディオ信号、副映像データは、フォーマッタ１９にてパック化され、ビデオパック、オーディオパック、副映像パックとなる。さらに、これらのパックが集合されて、ＤＶＤ−ＶＲ（Video Recording）規格（例えばＤＶＤ−ＲＡＭ、ＤＶＤ−Ｒ、ＤＶＤ−ＲＷ等に記録する規格）で規定されたフォーマットに変換される。
【００２７】
ここで、図１の映像記録装置は、フォーマッタ１９でフォーマット化された情報（ビデオ、オーディオ、副映像データ等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００２８】
また、ハードディスク１３ａまたは光ディスク１１に記録された情報を、Ｄ−ＰＲＯ部１４、ディスクドライブ部１２を介して光ディスク１１あるいはハードディスク１３ａに記録することもできる。
【００２９】
また、ハードディスク１３ａまたは光ディスク１１に記録されている複数番組のビデオオブジェクトを、一部削除したり、異なる番組のオブジェクトを繋げたりといった編集処理を行なうこともできる。これは、この実施の形態に係るフォーマットが取り扱うデータ単位を定義し、編集を容易にしているからである。
【００３０】
マイクロコンピュータブロック１７は、ＭＰＵ（Micro Processing Unit）またはＣＰＵ（Central Processing Unit）と、制御プログラム等が書きこまれたＲＯＭと、プログラム実行に必要なワークエリアを提供するためのＲＡＭとを含んでいる。
【００３１】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Universal Disk Format）記録、ＡＶアドレス設定等を実行する。
【００３２】
また、マイクロコンピュータブロック１７は、システム全体を制御するために必要な情報処理部を有するもので、ワークＲＡＭ２４、方式違い検出部２５、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００３３】
また、マイクロコンピュータブロック１７は、記録を実行する際のタイトル管理情報制御部２６と、編集を実行する際のチャプタ管理情報制御部２７をも備える。
【００３４】
マイクロコンピュータブロック１７の実行結果のうち、ユーザーに通知すべき内容は、映像記録装置の表示部２８に表示されるか、または、モニターディスプレイ２９にＯＳＤ（On Screen Display）表示される。
【００３５】
また、マイクロコンピュータブロック１７は、この映像記録装置を操作するための操作信号を与えるキー入力部３０を有する。このキー入力部３０は、例えば映像記録装置の本体上に設けた操作スイッチ類、または、リモートコントローラ等に相当する。また、この映像記録装置と有線通信、無線通信または光通信や赤外線通信等の手段を用いて接続されたＰＣ（Personal Computer）パーソナルコンピューター等であってもよい。
【００３６】
いずれの形態であるにせよ、ユーザーがこのキー入力部３０を操作することにより、入力された映像音声信号の記録処理や、記録されたコンテンツの再生処理、あるいは記録されたコンテンツに対する編集処理等を施すことができる。
【００３７】
なお、マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）３１からの時間データに基づいて実行することができる。記録や再生の動作は、通常は、ＳＴＣ３１からのタイムクロックに同期して実行されるが、それ以外の処理はＳＴＣ３１とは独立したタイミングで実行されてもよい。
【００３８】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするAデコーダとを有する。また、デコードされた主映像にデコードされた副映像を適宜合成し、主映像に、メニュー、ハイライトボタン、字幕やその他の副映像を重ねて出力するビデオプロセッサを備えている。
【００３９】
デコーダ部１６の出力ビデオ信号は、Ｖミキシング部２２に入力される。Ｖミキシング部２２では、テキストデータの合成が行なわれる。また、Ｖミキシング部２２には、ＴＶチューナー部２１やＡ／Ｖ入力部２０からの信号を、直接取り込むラインも接続されている。
【００４０】
また、Ｖミキシング部２２には、バッファとして用いるフレームメモリ３２が接続されている。Ｖミキシング部２２の出力がアナログ出力の場合はＩ／Ｆ（Interface）３３を介して外部出力され、デジタル出力の場合はＤ／Ａ（Digital／Analog）変換器３４を介して外部のモニターディスプレイ２９に出力される。
【００４１】
デコーダ部１６の出力オーディオ信号は、セレクタ２３を介してＤ／Ａ変換器３５でアナログ変換され外部のスピーカ３６に出力される。
【００４２】
セレクタ２３は、マイクロコンピュータブロック１７からのセレクト信号により制御される。これにより、セレクタ２３は、ＴＶチューナー部２１やＡ／Ｖ入力部２０からのデジタル信号を直接モニタする時、エンコーダ部１５をスルーした信号を直接選択することも可能である。
【００４３】
なお、エンコーダ部１５のフォーマッタ１９では、記録中、各切り分け情報を作成し、定期的にマイクロコンピュータブロック１７のＭＰＵに送出している［ＧＯＰ（Group Of Picture）先頭割り込み時等の情報］。切り分け情報としては、ＶＯＢＵ（Video Object Unit）のパック数、ＶＯＢＵ先頭からのＩ（Intra）ピクチャのエンドアドレス、ＶＯＢＵの再生時間等である。
【００４４】
同時に、アスペクト比情報処理部からの情報を記録開始時にＭＰＵに送り、ＭＰＵはＶＯＢ（Video Object）ストリーム情報（ＳＴＩ）を作成する。ここで、ＳＴＩは、解像度データ、アスペクト比データ等を保存し、再生時に、各デコーダ部ではこの情報を元にして初期設定が行なわれる。
【００４５】
また、この映像記録装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）と称している。ＣＤＡサイズは、ＥＣＣ（エラー訂正コード）ブロック（１６セクタ）の倍数であり、ファイルシステムではこのＣＤＡ単位で記録を行なっている。
【００４６】
Ｄ−ＰＲＯ部１４は、エンコーダ部１５のフォーマッタ１９からＶＯＢＵ単位のデータを受け取り、ＣＤＡ単位のデータをディスクドライブ部１２またはＨＤＤ部１３に供給している。
【００４７】
また、マイクロコンピュータブロック１７のＭＰＵは、記録したデータを再生するのに必要な管理情報を作成し、データ記録終了のコマンドを認識すると、作成した管理情報をＤ−ＰＲＯ部１４に送る。これにより、管理情報が光ディスク１１またはハードディスク１３ａに記録される。
【００４８】
このため、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１またはハードディスク１３ａから読み取った管理情報（ファイルシステム）を認識し、各ディスクの未記録エリアを認識し、データ上の記録エリアを、Ｄ−ＰＲＯ部１４を介してディスクに設定している。
【００４９】
図２はこの発明の実施の形態を示すもので、連続放送番組（毎日同時刻／毎週同時刻等）の予約を設定する設定画面を示す図である。
【００５０】
連続放送番組とは連続ドラマやニュース番組等の毎日同じ時刻に放送される番組または毎週同じ時刻に放送される番組を示している。
【００５１】
ここでは、モニター（ディスプレイ）２９に放送番組録画予約画面が表示されている。この放送番組録画予約画面では上記連続放送番組（毎日同時刻／毎週同時刻）の予約を選択できるように構成されている。
【００５２】
例えば、ユーザがリモコン３０を操作し、映像記録装置１００を制御することによってモニター（ディスプレイ）２９に放送番組録画予約画面が表示される。ユーザは放送番組録画予約画面を見てリモコン３０を操作し、ＹＥＳまたはＮＯを選択する。ここでは、ＹＥＳ（連続放送番組（毎日同時刻／毎週同時刻）の予約を選択する）が選択されている。詳細な動作については後述する。
【００５３】
図３はこの発明の実施の形態を示すもので、独自サムネイルの設定画面を示す図である。
【００５４】
ここでは独自サムネイル（ユーザが独自に設定するサムネイル。詳細は後述する。）の設定画面が表示されている。この独自サムネイル設定画面では独自サムネイルの設定を選択できるように構成されている。
【００５５】
例えば、ユーザがリモコン３０を操作し、映像記録装置１００を制御することによってモニター（ディスプレイ）２９に独自サムネイル設定画面が表示される。ユーザは独自サムネイル設定画面を見てリモコン３０を操作し、ＹＥＳまたはＮＯを選択する。ここでは、ＹＥＳ（独自サムネイルを設定する）が選択されている。
【００５６】
図４はこの発明の実施の形態を示すもので、コンテンツ（録画番組）に係る設定ポイントを示す図である。図４は記録媒体（ここでは光ディスク）１１に記録された１つのコンテンツ（録画番組）を示している。
【００５７】
コンテンツ（録画番組）はデジタルデータで構成されており、マイクロコンピュータブロック１７によって、このデジタルデータには開始ポイント（開始時刻）と終了ポイント（終了時刻）が付与される。また、マイクロコンピュータブロック１７によって、予め設定された、自動的に付与される固定ポイント（例えば番組開始（開始ポイント）から１秒後等に付与される）が付与される。また、後述するように、マイクロコンピュータブロック１７によって、独自設定ポイントが付与される。
【００５８】
図５はこの発明の実施の形態を示すもので、独自サムネイルの設定を説明するフローチャートである。以下の処理はマイクロコンピュータブロック１７によって制御される。
【００５９】
符号２００はここでの開始ステップである。続いて符号２０１を付したステップへ進む。
【００６０】
符号２０１は上記説明した放送番組録画予約に関し、連続放送番組（例えば毎日同時刻または毎週同時刻等）の予約が設定されたか否かを判断するステップである。ここでは、一例として連続放送番組であるＡの予約が設定されたか否かが判断される。連続放送番組の予約が設定されたと判断される場合は符号２０２を付したステップへ進む（Ｙｅｓ）。連続放送番組の予約が設定されたと判断されない場合は符号２０８を付したステップへ進む（Ｎｏ）。
【００６１】
符号２０２は連続放送番組Ａ（コンテンツＡ）を録画するステップである。続いて符号２０３を付したステップへ進む。
【００６２】
符号２０３はマイクロコンピュータブロック１７の編集時のチャプタ管理情報制御部２７に予め設定された固定ポイント（例えば番組開始から１秒後等）に基づいて記録媒体１１に録画されたコンテンツＡに係る画像データからサムネイルを作成する。ここでは番組開始から１秒後（図４に示す固定ポイント）の画像データからサムネイルを作成する。続いて符号２０４を付したステップへ進む。
【００６３】
符号２０４は上記作成された固定ポイントのサムネイルを保存するステップである。ここではこの固定ポイントのサムネイルはワークＲＡＭ２４に保存される。続いて符号２０５を付したステップへ進む。
【００６４】
符号２０５はユーザ独自のサムネイルを設定するか否かを判断するステップである。ユーザ独自のサムネイルを設定すると判断される場合は符号２０６を付したステップへ進む（Ｙｅｓ）。ユーザ独自のサムネイルを設定すると判断されない場合は符号２０８を付したステップへ進む（Ｎｏ）。
【００６５】
符号２０６はユーザに設定されたポイント（独自設定ポイント）の画像データからサムネイルを作成する。ユーザ独自のサムネイルとは上記のように、記録媒体１１に録画されたコンテンツＡに係る画像データから、ユーザが独自のポイント（図４に示す独自設定ポイント）を設定し、この設定ポイントの画像データで作成されたサムネイルである。続いて符号２０７を付したステップへ進む。
【００６６】
符号２０７は上記作成された独自設定ポイントのサムネイル（サムネイルＡ）を保存するステップである。ここではこの独自設定ポイントのサムネイルＡはワークＲＡＭ２４に保存される。ここで作成されたサムネイルはここではコンテンツＡが連続放送番組Ａに係るものであることから、コンテンツＡに関連付けて保存される。また、例えば連続放送番組Ａに係るコンテンツＢ（コンテンツＡ以外のコンテンツ）は、上記連続放送番組の設定によって、コンテンツＡに関連付けて保存される。続いて符号２０８を付したステップへ進む。
【００６７】
符号２０８は終了ステップであり、ここでの処理は終了する。
【００６８】
図６はこの発明の実施の形態を示すもので、サムネイルと共にコンテンツの内容を表示する例を示す図である。
【００６９】
記録媒体１１に記録された各コンテンツの内容が映像記録装置１００によって読み出され、モニタ２９に表示される。
【００７０】
ここではコンテンツＡ、コンテンツＢ、コンテンツＣの内容が並べて表示されている例を用いて説明する。
【００７１】
コンテンツＡおよびコンテンツＢは共に連続放送番組Ａシリーズに係るコンテンツである。そして、コンテンツＡおよびコンテンツＢは連続放送番組を予約するが選択されている。ここでは、上記のように、コンテンツＡはユーザによって独自設定ポイントが設定される。そして、独自サムネイル（サムネイルＡ）が作成され、保存されている。このときコンテンツＢも連続放送番組を予約するが選択されており、保存されている独自サムネイル（サムネイルＡ）が関連付けられる。
【００７２】
ここではコンテンツＡおよびコンテンツＢの内容が並べて表示される際に、両者共に独自サムネイル（サムネイルＡ）が表示される。
【００７３】
コンテンツＣは連続放送番組を予約することは設定されていない。このため、連続放送番組に係るコンテンツであるとは判断されない。ここでは上記のように固定ポイントで作成されたサムネイルＣが関連付けられる。
【００７４】
コンテンツＣはコンテンツの内容が表示される際に、固定ポイントで作成されたサムネイルＣが表示される。
【００７５】
すなわち、この発明に係る映像記録装置（１００）は、放送を受信する放送受信手段（２１）と、放送受信手段で受信される放送の中から連続放送番組に関する録画予約が設定される録画予約手段（１７）と、連続放送番組に関する録画予約を実行し、記録媒体へ連続放送番組に係るコンテンツを記録する録画手段（１２）と、記録媒体に記録されたコンテンツに係るデータの中からユーザに設定された画像データを用いてサムネイルを作成するサムネイル作成手段（１７）と、作成されたサムネイルをコンテンツに関連付けて保存するサムネイル保存手段（２４）とを備えるように構成している。
【００７６】
このように構成することによって、例えば連続ドラマやニュース等の毎日あるいは毎週同時刻に放送される連続番組について、サムネイルを設定する際に生じるコンテンツ毎のずれによる不一致から生じる不具合を低減し、映像記録装置の利便性を向上させることが可能となる効果がある。また、連続放送番組については作成されたサムネイルを保存しておくので、コンテンツ毎にその都度サムネイルを作成する必要がなく、サムネイルの表示速度を早めることが可能となる効果がある。
【００７７】
なお、この発明は上記した実施の形態そのままに限定されるものではなく、実施段階ではその趣旨を逸脱しない範囲で構成要素を種々変形して具体化することができる。
【図面の簡単な説明】
【００７８】
【図１】この発明の実施の形態を示すもので、映像記録装置の構成を示すブロック図。
【図２】この発明の実施の形態を示すもので、連続放送番組（毎日同時刻／毎週同時刻等）の予約を設定する設定画面を示す図。
【図３】この発明の実施の形態を示すもので、独自サムネイルの設定画面を示す図。
【図４】この発明の実施の形態を示すもので、コンテンツ（録画番組）に係る設定ポイントを示す図。
【図５】この発明の実施の形態を示すもので、独自サムネイルの設定を説明するフローチャート。
【図６】この発明の実施の形態を示すもので、サムネイルと共にコンテンツの内容を表示する例を示す図。
【符号の説明】
【００７９】
１１…光ディスク（記録媒体）、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…Ｖミキシング部、２３…セレクタ、２４…ワークＲＡＭ、２５…方式違い検知部、２６…記録時のタイトル管理情報制御部、２７…編集時のチャプタ管理情報制御部、２８…表示部、２９…モニター（ディスプレイ）、３０…キー入力部、３１…ＳＴＣ、３２…フレームメモリ部、３３…Ｉ／Ｆ、３４，３５…Ｄ／Ａ変換器、３６…スピーカ。
【図１】
2005340875.tif 000003
【図２】
2005340875.tif 000004
【図３】
2005340875.tif 000005
【図４】
2005340875.tif 000006
【図５】
2005340875.tif 000007
【図６】
2005340875.tif 000008